(57)【要約】【課題】膝や腰に過激な負担を掛けることなく、水中で脚力の強化を図ることができると共に、足踏み運動と同時に身体の向きを変え、全身に水圧を受け、水中を歩行しているのと同様の刺激を身体に受けることができ、かつ身体を捻じることもできると共に、設置スペースも少なくて済み、然も簡単な構成で価格も低廉な水中運動器具とする。【解決手段】水槽内で使用される運動器具であり、この運動器具は、基台１上に揺動体４を水平方向に回動自在に設ける。揺動体４上に左右一対のペダルに乗って、左右交互に足踏み運動を行うことにより、動力伝達手段を介して揺動体４を左右交互に駆動するペダル機構を設ける。ペダル機構にペダルの足踏み時に抵抗力を与える可撓性を有する水平鰭体１５を設ける。足踏み運動と共に運動者の身体の向きが左右交互に変わる。【選択図】図４
2004154247.tif 000002
【特許請求の範囲】
【請求項１】
水中で使用される運動器具であり、この運動器具は、基台上に揺動体が水平方向に回動自在に設けられると共に、この揺動体に左右交互に足踏み運動を行うことにより、動力伝達手段を介して前記揺動体を左右交互に駆動するペダル機構が設けられ、足踏み運動と共に運動者の身体の向きが左右交互に変わることを特徴とする水中運動器具。
【請求項２】
ペダル機構にペダルの足踏み時に抵抗力を与える水平鰭体が設けられ、この水平鰭体の鰭部は可撓性を有していることを特徴とする請求項１記載の水中運動器具。
【請求項３】
水平鰭体は取り換え可能に設けられていることを特徴とする請求項２記載の水中運動器具。
【請求項４】
ペダル機構にペダルの足踏み時に抵抗力を与える足踏み式エアポンプが設けられていることを特徴とする請求項１記載の水中運動器具。
【請求項５】
足踏み式エアポンプにエア圧縮調整手段が設けられていることを特徴とする請求項４記載の水中運動器具。
【発明の詳細な説明】
【０００１】
【発明の属する技術分野】
本発明は、水槽、浴槽、プール等に設置して病後のリハビリで脚力と腰の強化を図ったり、健康維持の目的でトレーニング等に使用される水中運動器具に係り、詳しくは、足踏み運動と同時に運動者の身体の向きが変わり、その都度身体に水圧を受け、身体に刺激を与えることのできる水中運動器具に関するものである。
【０００２】
【従来の技術】
従来、水中で病後のリハビリや健康維持の目的で足腰の荷重負担を軽減して強化を図る方法として、スポーツ施設のプール等を利用して水中歩行を行う方法、或いは特開平１１ー１１４０８７号のように、温水等液体を貯留したタンクの底面部に駆動モーターによって回転駆動される移送ベルトを配設し、その送行移動面を上向きにした水中トレーニング装置が提案されている。
【０００３】
しかし、スポーツ施設のプール等を利用して水中歩行を行う方法は簡単であるが、広いスペースを必要とする。
又、特開平１１ー１１４０８７号の水中トレーニング装置は、足腰への荷重負担を軽減して歩行運動を行うが、装置は電力を必要とし、構成も複雑で装置本体の価格や維持費用も高価となるものである。そして、運動の内容は単純な歩行動作のみである。
【０００４】
そこで、本発明者が足踏み運動をしながら、運動者の脚力で水流を発生させ、身体に水流を受けながら脚力の強化を図ることのできる水中運動装置を特願２００２ー５７５８１として既に出願している。
この装置は、水流発生部の駆動部の左右一対のペダル上に乗って、左右交互に上下方向に往復動を行うもので、電力も必要とせず、設備費や維持費も低廉であるが、運動の内容は足踏みのみで全身が動くものではなかった。
【０００５】
【発明が解決しようとする課題】
上記点より本発明は、膝や腰に過激な負担を掛けることなく、水中で脚力の強化を図ることができると共に、足踏み運動と同時に身体の向きを変え、全身に水圧を受け水中を歩行しているのと同様の刺激を身体に受けることができ、かつ身体を捻じることもできると共に、浴槽では座った状態で足踏みを行うことができ、設置スペースも少なくて済み、然も簡単な構成で価格も低廉な水中運動器具を提供しようとするものである。
【０００６】
【課題を解決するための手段】
上記課題を解決するため請求項１の本発明水中運動器具は、水中で使用される運動器具であり、この運動器具は、基台上に揺動体が水平方向に回動自在に設けられると共に、この揺動体に左右交互に足踏み運動を行うことにより、動力伝達手段を介して前記揺動体を左右交互に駆動するペダル機構が設けられ、足踏み運動と共に運動者の身体の向きが左右交互に変わることを特徴とするものである。
【０００７】
このような構成とすることにより、水中で運動者がペダル機構の左右一対のペダル上に乗って、左右交互に上下方向に足踏み運動をしペダルを往復動すれば、動力伝達手段を介して基台上の揺動体が左右交互に水平方向に揺動するため、揺動体に設けられているペダル機構も揺動体と共に揺動し、ペダル上乗っている運動者は足踏み運動を行う毎に身体が左右交互に向きが変わり、その都度水圧を受けることになる。
この足踏み運動は水中で行われるため、水の抵抗を受け急激な動作とならず、身体に掛かる負担を軽減して、足腰の強化と共に全身に水圧を受けるので、挾いスペースでも恰も水中を実際に歩いているのと同様の歩行運動となり、全身運動となる。
更に、運動器具を水槽やプールの壁に向かって壁に手が届く位置に設置し、運動者は壁縁を手で掴んで支えとすれば、ペダルを踏む毎に上半身は壁に向いているが、腰から下が揺動するのでツィスト運動が可能である。又足踏み運動も水中で行われるので膝や腰の負担が軽減される。
【０００８】
次に、請求項２の本発明水中運動器具は、請求項１の水中運動器具において、ペダル機構にペダルの足踏み時に抵抗力を与える水平鰭体が設けられ、この水平鰭体の鰭部は可撓性を有していることを特徴とするものである。
【０００９】
このような構成とすることにより、水平鰭体で足踏み時に運動者の膝や腰に負担を掛けることができる。
この水平鰭体は鰭部が可撓性を有するため、水をスムーズに押しのけ乱流となるのを防止できる。
【００１０】
次に、請求項３の本発明水中運動器具は、請求項２の水中運動器具において、水平鰭体は取り換え可能に設けられていることを特徴とするものである。
【００１１】
このような構成とすることにより、水平鰭体の形状やサイズの異なるものを準備し、取り換えることにより、運動者の体力に応じた負荷を膝や腰に掛けることが可能となる。
【００１２】
次に、請求項４の本発明水中運動器具は、請求項１の水中運動器具において、ペダル機構にペダルの足踏み時に抵抗力を与える足踏み式エアポンプが設けられていることを特徴とするものである。
【００１３】
このような構成とすることにより、足踏み式エアポンプで足踏み時に、運動者の膝や腰に負荷を掛けることができる。
【００１４】
次に、請求項５の本発明水中運動器具は、請求項４の水中運動器具において、足踏み式エアポンプにエア圧縮調整手段が設けられていることを特徴とするものである。
【００１５】
このような構成とすることにより、足踏み式エアポンプのエアの圧縮調整を行い、運動者の体力に応じた負荷を膝や腰に掛けることが可能となる。
【００１６】
【発明の実施の形態】
以下、本発明の一実施の形態を図面に基づき説明する。
図１は第１の本発明水中運動器具の一実施の形態を示す平面図、図２及び図３は同上の作用を示す平面図、図４は同上の作用を示す側面図、図５及び図６は同上の部分断面図、図７乃至図９は同上の使用状態を示す断面図である。
【００１７】
図１乃至図７において、図中１は基台であり、この基台１は間隔をおいて配設した前後の横材１Ａ間の中央部に連結材１Ｂが渡設されて平面が略各Ｉ形に形成され、横材１Ａ及び連結材１Ｂは金属又はプラスチック製で断面が四角形の棒体、又は断面が四角形の管体で構成されている。
尚、基台１は四角形等任意形状の金属又はプラスチック製の板体とすることもできる。又横材１Ａの下面に吸着用の吸盤２が設けられている。この吸盤２にリング２Ａが形成され、このリング２Ａに浮子を付けた紐等を取り付け、深い水槽では吸盤２を外し易いようにする。
【００１８】
３は基台１の連結材１Ｂの中央部付近に立設固定した垂直軸であり、この垂直軸３に板状の揺動体４の後方部が水平方向に回動自在に挿通されている。
揺動体４と連結材１Ｂ間に揺動体４の回動を円滑にするベアリング５が介在されている。
【００１９】
垂直軸３は、図５に示すように円柱体３Ａと、この円柱体３Ａの上部に円柱体３Ａと一体に形成された円柱体３Ａよりも小径で外周に螺子を刻設した螺軸３Ｂから形成されている。
そして、この螺軸３Ｂに取り付け板６が挿通されると共に、この取り付け板６は内側に螺軸３Ｂと螺合する螺子７Ａを刻設した締め付けキャップ７により円柱体３Ａの上部と締め付けキャップ７の下部間に固定されている。
【００２０】
８は揺動体４の上面の前部に立設した取り付け台であり、この取り付け台８の両側の同一高さ位置に、一線上に側方に向け左右一対の水平軸９が突設されている。
この両側の水平軸９に左右一対のペダルレバー１０の先端にペダルレバー１０の長手方向と直交するように固定した筒部１０Ａが挿通され、ペダルレバー１０は上下方向に回動可能となっている。
【００２１】
ペダルレバー１０は運動者がペダルレバー１０の上面のどの位置でも乗れるように比較的長く、かつ巾広に形成されている。
これにより、前後方向の乗る位置により踏み下ろし時に掛かる負荷を調整できる。勿論、ペダルレバー１０の巾を狭くしてペダル板を別に取り付けてもよい。
【００２２】
又、一対のペダルレバー１０の筒部１０Ａの取り付け台８側寄りの下部にペダルレバー１０と９０°の角度をなすように左右一対の腕１１が下向きに固定され、ペダルレバー１０と筒部１０Ａ及び腕１１は一体に回動する。
【００２３】
１２は腕１１の下部に一端を垂直方向に回動可能に枢着１３した左右一対の連結杆であり、この連結杆１２は他端に水平板部１２Ａが形成され、この水平板部１２Ａが垂直軸３に固定された取り付け板６に水平方向に回動可能に枢着１４されている。この連結杆１２、取り付け板６、腕１１により動力伝達手段が構成されている。
【００２４】
１５はペダルレバー１０に取り換え可能に嵌合した水平鰭体であり、この水平鰭体１５はペダルレバー１０の前部付近まで嵌合する鞘状の足載部１５Ａと、足載部１５Ａの両側に設けた前後方向に細長い帯状の側鰭部１５Ｂと、足載部１５Ａの後部に設けた略各四角形の板状の後鰭部１５Ｃから構成され、ペダルレバー１０の往復時に抵抗を与えるためのものである。
【００２５】
又、側鰭部１５Ｂ及び後鰭部１５Ｃは可撓性を有する合成ゴム等により形成され、水中でペダルレバー１０を踏み下ろした時、水平鰭体１５は水の抵抗で上方へ撓み、上がったペダルレバー１０の水平鰭体１５は水の抵抗で下方へ撓む。
又、足載部１５Ａは表面に多数の突部１５Ｄを設け、足踏み時に足裏を刺激する。この足載部１５Ａは硬質ゴムでもよい。
尚、水平鰭体１５は、図示の構成に限定されるものではなく、側鰭部１５Ｂ又は後鰭部１５Ｃの何れか一方のみでもよく、又後鰭部１５Ｃも大きさや形を変えたものを用意し、運動者の体力に応じてペダルレバー１０から引き抜いて嵌合を外し、選択可能とすることが好ましい。
これにより、ペダルレバー１０の踏み下ろし時に運動者の体力に応じて膝や腰に抵抗力を与え、筋力の強化を図ることができる。
【００２６】
次に、このような構成を有する水中運動器具の使用方法を説明する。
先ず、水中運動器具を水槽１６に設置する。水槽１６の種類や形状は問わないが、プールや浴槽等が利用される。又水槽の水として、水、湯、温泉水、温泉湯等が使用される。
設置は、基台１の下面の吸盤３で水槽１６の床面に固定する。大きな水槽やプールでは壁に向かって壁に手が届く位置に設置する。
【００２７】
水中運動具を水槽１６内に設置した後、運動者は左右一対のペダルレバー１０に嵌合した水平鰭体１５の足載部１５Ａ上に乗り、左右交互にペダルレバー１０を踏み下ろすが、この一連の作動は図１は左右のペダルレバー１０が共に水平な状態で、この状態では揺動体４は正面を向いている。
【００２８】
図３及び図４は、運動者が左側のペダルレバー１０を踏み下ろした状態を示し、この時、揺動体４は左側（矢印イ方向）へ回動する。
この作動は左側のペダルレバー１０を踏み込めば、このペダルレバー１０に取り付け台８の水平軸９を支点として下方へ回動する力が働くので、このペダルレバー１０と一体の腕１１に前方へ回動する力が働く。
【００２９】
しかし、この腕１１は一端を腕１１の下部に垂直方向に回動可能に枢着１３され、他端を取り付け板６に水平方向に回動可能に枢着１４された左側の連結杆１２により前方へ回動する動きを規制されているため、この腕１１の前方へ働く力が取り付け台８から揺動体４に働き、揺動体４は垂直軸３を支点として左側（矢印イ方向）へ回動すると共に、この連結杆１２は枢着１４部を支点として同一方向に回動する。この連結杆１２の長さは一定のため、回動により連結杆１２が腕１１を前方へ押し、これにより腕１１が水平軸９を支点として前方へ回動し、左側のペダルレバー１０が下方回動する。
したがって、運動者は左側のペダルレバー１０を踏み下ろすと、揺動体４と共に身体が左側へ向くことになる。
【００３０】
この揺動体４の左側への回動により、右側の連結杆１２も枢着１４部を支点として左側へ回動し、これにより右側の連結杆１２に連結する右側の腕１１は後方へ引かれ、右側のペダルレバー１０は上方へ回動するので、運動者の右足は上がる。
【００３１】
図２は運動者が右側のペダルレバー１０を踏み下ろした状態を示し、同様の理により、揺動体４は右側（矢印ロ）方向へ回動し、左側のペダルレバー１０は上がる。
このように、運動者は踏み下ろしたペダルレバー１０側へ身体が向き、左右交互の足踏み運動により、左右交互に向きを変えることになる。
【００３２】
図７は運動者が水槽１６の縁を掴んで足踏み運動を行っている場合を示すものであり、この場合は上半身は水槽１６の壁に正面を向けたままであるが、左右交互に足踏みをする毎に下半身は左右交互に向きが変わり、身体が捻じられツィスト運動となる。
又、図８は家庭の浴槽の側壁に設置した場合を示し、座したままで足の運動を行うが、足を上げての運動なので腹筋運動にもなる。
又、図９は家庭の浴槽の床面に設置した場合を示し、足浴をしながらの運動になる。
【００３３】
次に、図１０及び図１１は本発明水中運動器具の第２の実施の形態を示し、図１０は同上の平面図、図１１は同上の側面図である。尚、図１乃至図９と相当する箇所にはそれと同一符号を付してある。
これは、本発明水中運動具の第１の実施の形態において、ペダルレバーの足踏み時に抵抗力を与える水平鰭体１５に変え、足踏み式エアポンプを設けたものである。
【００３４】
図１０及び図１１において、図中２０は左右一対のペダルレバー１０と揺動体４間に設けた伸縮自在な蛇腹状の足踏み式エアポンプである。
２１は足踏み式エアポンプ２０の吸気口、２２は足踏み式エアポンプ２０の排気口であり、吸気口２１及び排気口２２に夫々開閉バルブ２３が設けられ、左右の吸気口２１は吸気パイプ２４で連結され、この吸気パイプ２４と内部が連通して吸気パイプ２４の中央部に、水中から水上へ突出する長さの吸気用起立パイプ２４Ａが連結されている。
【００３５】
又、左右の排気口２２は排気パイプ２５で連結され、この排気パイプ２５と内部が連通して排気パイプ２５の中央部に、水中から水上へ突出する長さの排気用起立パイプ２５Ａが連結されている。
そして、排気用起立パイプ２５Ａの上部にエア圧縮調整手段である排気量調整用弁２６が設けられている。
尚、図中２７はペダルレバー１０に設けた足載せ板、２７Ａは足載せ板２７上に設けた足裏を刺激する突部である。
【００３６】
このような構成を有する水中運動器具は、左右一対のペダルレバー１０の足載せ板２７上に運動者が乗り、一方の側のペダルレバー１０を踏み下ろすと、この側の排気口２２の開閉バルブ２３が開いて、吸気口２１の開閉バルブ２３が閉じ、他方の側の排気口２２の開閉バルブ２３は閉じ、吸気口２１の開閉バルブ２３は開いて、他方の側のペダルレバー１０は上がる。この踏み下ろす時に足踏み式エアポンプ２０内のエアが抵抗となり、運動者の膝や腰に抵抗力を与え、筋力の強化を図ることができる。
そして、排気用起立パイプ２５Ａの排気量調整用弁２６を操作することによって、運動者の体力に応じた足踏み運動が可能である。
【００３７】
又、図１２乃至図１４は本発明水中運動器具の第３の実施の形態を示し、図１２は同上の正面図、図１３は同上の平面図、図１４は同上の部分拡大図である。図１２乃至図１４において、図１乃至図９に相当する箇所にはそれと同一符号を付してある。
基台１は横長の板状体であり、その下面に吸着用の吸盤２が設けられている。又基台１に垂直軸３が立設固定されると共に、基台１上に取り付け台３０が基台１と一体に固定されている。
垂直軸３は取り付け台３０より上方へ突出し、この突出部で取り付け台３０上にベアリング５を介して揺動体３１が水平方向に回動自在に挿通されている。
【００３８】
揺動体３１は横長の方形体で両側面に水平軸９が突設されている。この水平軸９に左右一対のペダルレバー１０の先方部の下面に固定したガイド板３２が上下方向に回動可能に挿通されている。
ガイド板３２は円板の一部を切除した形状で周側面が円弧状であり、周側面は溝３２Ａに形成されている。
【００３９】
そして、左右のガイド板３２の溝３２Ａにそれぞれ同一長さのワイヤー等の前部側の紐状体３３と後部側の紐状体３４が係合されている。
前部側の紐状体３３はガイド板３２の前部でペダルレバー１０の下面に一端が固定され、他端はガイド板３２の溝３２Ａの前面から下面に当接し、取り付け台３０の後部側に固定され張設されている。
又、後部側の紐状体３４はガイド板３２の後部でペダルレバー１０の下面に一端が固定され、他端はガイド板３２の溝３２Ａの後面から下面に当接し、取り付け台３０の前部側に固定され張設されている。
【００４０】
このような構成を有する水中運動器具は、一方の側のペダルレバー１０を踏めば、この側のペダルレバー１０のガイド板３２に前方へ移動する力が働くが、前部側の紐状体３３の張設により移動が阻止され、後部側の紐状体３４は余裕があるので、ガイド板３２は後方へ滑って回動し、揺動体３１は垂直軸３を支点として踏み下ろしたペダルレバー１０側が後方へ回動し、運動者は揺動体３１と共に踏み下ろした側へ身体が向く。
この時、揺動体３１の反対側は前方へ回動しているので、ガイド板３２は前方へ滑って回動し、反対側のペダルレバー１０は上がる。
このように運動者は踏み下ろしたペダルレバー側へ身体が向き、左右交互の足踏み運動により、左右交互に向きを変えることになる。
【００４１】
【発明の効果】
本発明によれば、水中で運動者がペダル上に乗って左右交互に足踏み運動を行えば、揺動体が左右交互に水平方向に揺動するため、ペダル上に乗っている運動者は足踏み運動を行う毎に身体が左右交互に向きが変わり、その都度水圧を受けるため、狭いスペースでも恰も水中を実際に歩いているのと同様の刺激を身体に受け、全身を使った歩行運動となる。
又、この運動は水中で行われるので、運動者の膝や腰に過激な負荷を掛ける事なく軽快に行える。
【００４２】
又、ペダルの足踏み時に抵抗力を与える水平鰭体又は足踏み式エアポンプを取り付けることにより、運動者の体力に応じた抵抗を膝や腰に与えることができ、筋力の強化を図ることができる。
又、運動器具を水槽の壁に向かって運動者の手が壁に届く位置に設置し、壁の縁を掴んで足踏み運動を行えば、上半身はそのままで下半身が左右交互に向きが変わって身体が捻じられ、ツィスト運動もできるものである。
更に、本発明水中運動器具は簡単な構成のため製作費も低廉で、かつ簡単にプール等に持ち運びができ便利であると共に、家庭の浴槽においても使用でき、気軽にリハビリや健康維持の目的でトレーニングができるものである。
【図面の簡単な説明】
【図１】本発明水中運動器具の一実施の形態を示す平面図である。
【図２】本発明水中運動器具の作用を示す平面図である。
【図３】本発明水中運動器具の作用を示す平面図である。
【図４】図３の側面図である。
【図５】本発明水中運動器具の一実施の形態を示す部分断面図である。
【図６】本発明水中運動器具の一実施の形態を示す部分断面図である。
【図７】本発明水中運動器具の使用状態を示す断面図である。
【図８】本発明水中運動器具の使用状態を示す断面図である。
【図９】本発明水中運動器具の使用状態を示す断面図である。
【図１０】本発明水中運動器具の他の実施の形態を示す平面図である。
【図１１】図１０の側面図である。
【図１２】本発明水中運動器具の他の実施の形態を示す正面図である。
【図１３】図１２の平面図である。
【図１４】図１２の部分拡大図である。
【符号の説明】
１  基台
３  垂直軸
４  揺動体
６  取り付け板
８  取り付け台
９  水平軸
１０  ペダルレバー
１１  腕
１２  連結杆
１３、１４  枢着
１５  水平鰭体
１６  水槽
２０  足踏み式エアポンプ
２６  排気量調整用弁
【図１】
2004154247.tif 000003
【図２】
2004154247.tif 000004
【図３】
2004154247.tif 000005
【図４】
2004154247.tif 000006
【図５】
2004154247.tif 000007
【図６】
2004154247.tif 000008
【図７】
2004154247.tif 000009
【図８】
2004154247.tif 000010
【図９】
2004154247.tif 000011
【図１０】
2004154247.tif 000012
【図１１】
2004154247.tif 000013
【図１２】
2004154247.tif 000014
【図１３】
2004154247.tif 000015
【図１４】
2004154247.tif 000016